(57)【要約】【課題】複数の映像信号の映像を優先順位に対応する領域に表示させ、かつ、ユーザの操作に対応して表示する領域を速やかに置換できるようにする。【解決手段】重要度インデックス対応付け部２２は、テーブルαに従い、各映像信号に重要度インデックスを対応付ける。対応付け判定部２４は、各映像信号に各領域を対応付ける。表示対応部２６は、各映像信号の映像が対応付けられた各領域に表示されるような合成映像信号を生成してディスプレイ２に出力する。表示対応部２６は、ディスプレイ領域特定部２９からの操作情報に従い、選択された映像信号の映像が、選択された領域に配置され、それまでユーザによって選択された領域に配置されていた映像と交互に置換した合成映像信号を生成してディスプレイ２に出力する。本発明は、複数の映像信号を編集する装置、テレビジョン受像機などに適用することができる。【選択図】　　　図３
2004069893.tif 000002
【特許請求の範囲】
【請求項１】
複数の映像信号の映像をそれぞれ複数の表示領域に同時に表示させる映像信号処理装置において、
ユーザの操作を受け付ける受付手段と、
入力された前記複数の映像信号に対してそれぞれ優先順位を付与する付与手段と、
前記複数の表示領域に対してそれぞれ優先順位を設定する設定手段と、
前記付与手段によって優先順位が付与された前記映像信号と、前記設定手段によって優先順位が設定された前記表示領域を対応付ける対応付け手段と、
前記複数の映像信号にそれぞれ対応する映像が前記対応付け手段によって対応付けられた前記表示領域に表示されるように表示を制御する表示制御手段と
を含むことを特徴とする映像信号処理装置。
【請求項２】
前記受付手段は、前記映像信号を選択する第１の操作と、前記表示領域を選択する第２の操作から成る前記ユーザの操作を受け付ける
ことを特徴とする請求項１に記載の映像信号処理装置。
【請求項３】
前記表示制御手段は、前記第１の操作に対応する映像信号の映像が、前記第２の操作に対応する表示領域に表示され、それまで前記第２の操作に対応する表示領域に表示されていた映像信号の映像が、前記第１の操作に対応する表示領域に表示されるようにも表示を制御する
ことを特徴とする請求項２に記載の映像信号処理装置。
【請求項４】
前記付与手段は、対応テーブルに基づき、入力された前記複数の映像信号に対してそれぞれ優先順位を付与する
ことを特徴とする請求項１に記載の映像信号処理装置。
【請求項５】
前記受付手段によって受け付けられた前記ユーザの操作に基づき、前記対応テーブルを更新する更新手段を
さらに含むことを特徴とする請求項４に記載の映像信号処理装置。
【請求項６】
前記設定手段は、対応テーブルに基づき、前記複数の表示領域に対してそれぞれ優先順位を設定する
ことを特徴とする請求項１に記載の映像信号処理装置。
【請求項７】
前記受付手段によって受け付けられた前記ユーザの操作に基づき、前記対応テーブルを更新する更新手段を
さらに含むことを特徴とする請求項６に記載の映像信号処理装置。
【請求項８】
複数の映像信号の映像をそれぞれ複数の表示領域に同時に表示させる映像信号処理装置の映像信号処理方法において、
ユーザの操作を受け付ける受付ステップと、
入力された前記複数の映像信号に対してそれぞれ優先順位を付与する付与ステップと、
前記複数の表示領域に対してそれぞれ優先順位を設定する設定ステップと、
前記付与ステップの処理で優先順位が付与された前記映像信号と、前記設定ステップの処理で優先順位が設定された前記表示領域を対応付ける対応付けステップと、
前記複数の映像信号にそれぞれ対応する映像が前記対応付けステップの処理で対応付けられた前記表示領域に表示されるように表示を制御する表示制御ステップと
を含むことを特徴とする映像信号処理装置。
【請求項９】
複数の映像信号の映像をそれぞれ複数の表示領域に同時に表示させる映像信号処理装置のプログラムであって、
入力された前記複数の映像信号に対してそれぞれ優先順位を付与する付与ステップと、
前記複数の表示領域に対してそれぞれ優先順位を設定する設定ステップと、
前記付与ステップの処理で優先順位が付与された前記映像信号と、前記設定ステップの処理で優先順位が設定された前記表示領域を対応付ける対応付けステップと、
前記複数の映像信号にそれぞれ対応する映像が前記対応付けステップの処理で対応付けられた前記表示領域に表示されるように表示を制御する表示制御ステップと
を含むことを特徴とするコンピュータが読み取り可能なプログラムが記録されている記録媒体。
【請求項１０】
複数の映像信号の映像をそれぞれ複数の表示領域に同時に表示させる映像信号処理装置を制御するコンピュータに、
入力された前記複数の映像信号に対してそれぞれ優先順位を付与する付与ステップと、
前記複数の表示領域に対してそれぞれ優先順位を設定する設定ステップと、
前記付与ステップの処理で優先順位が付与された前記映像信号と、前記設定ステップの処理で優先順位が設定された前記表示領域を対応付ける対応付けステップと、
前記複数の映像信号にそれぞれ対応する映像が前記対応付けステップの処理で対応付けられた前記表示領域に表示されるように表示を制御する表示制御ステップと
を含む処理を実行させることを特徴とするプログラム。
【発明の詳細な説明】
【０００１】
【発明の属する技術分野】
本発明は、映像処理信号装置および方法、記録媒体、並びにプログラムに関し、例えば、複数の異なる映像信号をディスプレイ上に設けた複数の領域にそれぞれ表示させる場合に用いて好適な映像信号処理装置および方法、記録媒体、並びにプログラムに関する。
【０００２】
【従来の技術】
例えば、映像を編集する場合、大規模な装置を遠隔操作する場合などにおいては、複数の異なる映像信号をディスプレイ上に設けた複数の領域にそれぞれ同時に表示させたり、あるいは、複数の異なる映像信号を複数のディスプレイにそれぞれ同時に表示させたりすることが行われている。
【０００３】
【発明が解決しようとする課題】
例えば、第１乃至第４の映像信号を、ディスプレイ上に設けられた第１乃至第４の領域にそれぞれ同時に表示させる従来の装置においては、第１の映像信号は第１の領域に表示され、第２の映像信号は第２の領域に表示され、第３の映像信号は第３の領域に表示され、さらに第４の映像信号は第４の領域に表示されるように、各映像信号とそれらがそれぞれ表示される領域との対応関係が固定であることが多いので、ユーザにとって必ずしも視認性がよいとは言えない状況が生じ得る課題があった。
【０００４】
また、各映像信号とそれらがそれぞれ表示される領域の対応関係が変更可能であるものもあるが、それを変更するためには面倒な設定を行わなければならない課題があった。
【０００５】
本発明はこのような状況に鑑みてなされたものであり、複数の異なる映像信号を同時に表示させる場合において、任意の映像を任意の表示領域に表示できるようにすることを目的とする。
【０００６】
【課題を解決するための手段】
本発明の映像信号処理装置は、ユーザの操作を受け付ける受付手段と、入力された複数の映像信号に対してそれぞれ優先順位を付与する付与手段と、複数の表示領域に対してそれぞれ優先順位を設定する設定手段と、付与手段によって優先順位が付与された映像信号と、設定手段によって優先順位が設定された表示領域を対応付ける対応付け手段と、複数の映像信号にそれぞれ対応する映像が対応付け手段によって対応付けられた表示領域に表示されるように表示を制御する表示制御手段とを含むことを特徴とする。
【０００７】
前記受付手段は、映像信号を選択する第１の操作と、表示領域を選択する第２の操作から成るユーザの操作を受け付けるようにすることができる。
【０００８】
前記表示制御手段は、第１の操作に対応する映像信号の映像が、第２の操作に対応する表示領域に表示され、それまで、第２の操作に対応する表示領域に表示されていた映像信号の映像が、第１の操作に対応する表示領域に表示されるようにも表示を制御するようにすることができる。
【０００９】
前記付与手段は、対応テーブルに基づき、入力された複数の映像信号に対してそれぞれ優先順位を付与するようにすることができる。
【００１０】
本発明の映像信号処理装置は、受付手段によって受け付けられたユーザの操作に基づき、対応テーブルを更新する更新手段をさらに含むことができる。
【００１１】
前記設定手段は、対応テーブルに基づき、複数の表示領域に対してそれぞれ優先順位を設定するようにすることができる。
【００１２】
本発明の映像信号処理装置は、受付手段によって受け付けられたユーザの操作に基づき、対応テーブルを更新する更新手段をさらに含むことができる。
【００１３】
本発明の映像信号処理方法は、ユーザの操作を受け付ける受付ステップと、入力された複数の映像信号に対してそれぞれ優先順位を付与する付与ステップと、複数の表示領域に対してそれぞれ優先順位を設定する設定ステップと、付与ステップの処理で優先順位が付与された映像信号と、設定ステップの処理で優先順位が設定された表示領域を対応付ける対応付けステップと、複数の映像信号にそれぞれ対応する映像が対応付けステップの処理で対応付けられた表示領域に表示されるように表示を制御する表示制御ステップとを含むことを特徴とする。
【００１４】
本発明の記録媒体のプログラムは、入力された複数の映像信号に対してそれぞれ優先順位を付与する付与ステップと、複数の表示領域に対してそれぞれ優先順位を設定する設定ステップと、付与ステップの処理で優先順位が付与された映像信号と、設定ステップの処理で優先順位が設定された表示領域を対応付ける対応付けステップと、複数の映像信号にそれぞれ対応する映像が対応付けステップの処理で対応付けられた表示領域に表示されるように表示を制御する表示制御ステップとを含むことを特徴とする。
【００１５】
本発明のプログラムは、入力された複数の映像信号に対してそれぞれ優先順位を付与する付与ステップと、複数の表示領域に対してそれぞれ優先順位を設定する設定ステップと、付与ステップの処理で優先順位が付与された映像信号と、設定ステップの処理で優先順位が設定された表示領域を対応付ける対応付けステップと、複数の映像信号にそれぞれ対応する映像が対応付けステップの処理で対応付けられた表示領域に表示されるように表示を制御する表示制御ステップとを含む処理をコンピュータに実行させることを特徴とする。
【００１６】
本発明の映像信号処理装置および方法、並びにプログラムにおいては、入力された複数の映像信号に対してそれぞれ優先順位が付与され、複数の表示領域に対してそれぞれ優先順位が設定され、優先順位が付与された映像信号と優先順位が設定された表示領域が対応付けられる。さらに、複数の映像信号にそれぞれ対応する映像が対応付けられた表示領域に表示される。
【００１７】
複数の表示領域とは、例えば、１台のディスプレイの画面を複数に分割したものでもよいし、複数のディスプレイの各画面でもよい。
【００１８】
映像信号とは、動画像、静止画像の他、文字や図形を表示させるための信号も含むものである。
【００１９】
【発明の実施の形態】
以下、本発明を適用した映像信号出力装置について図面を参照して説明する。この映像信号出力装置１は、例えば図１に示すように、ディスプレイ２の画面上に複数の領域（図１の場合、９つの領域Ａ乃至Ｉ）を設け、複数の領域のそれぞれに異なる映像を同時に表示させるものである。
【００２０】
あるいは、映像信号出力装置１は、例えば図２に示すように、複数のディスプレイ２（図２の場合、４台のディスプレイ２−１乃至２−４）にそれぞれ異なる映像を同時に表示させるものである。
【００２１】
以下、図１に示した例について説明する。なお、図２に示した例については、同様であるので、その説明は省略する。
【００２２】
図３は、映像信号出力装置１の構成例を示している。映像信号入力部２１は、異なる複数の映像信号を映像信号出力装置１に取り込み、重要度インデックス対応付け部２２、および対応付け判定部２４に出力する。ここで、映像信号入力部２１が取り込む映像信号は、ディスプレイ２に表示可能なものであればよい。したがって、この映像信号には、通常の動画や静止画の映像信号はもとより、文字を表示するためのテキストの映像信号、地図、図形、グラフなどの画像の映像信号等も含まれる。
【００２３】
重要度インデックス対応付け部２２は、テーブルα記憶部２３に記憶されているテーブルαを参照することにより、映像信号入力部２１からの各映像信号に、優先順位を示す重要度インデックスを対応付けて、その情報を対応付け判定部２４に出力する。
【００２４】
図４は、テーブルα記憶部２３に記憶されている初期設定状態のテーブルαの一例を示している。このテーブルαにおいては、映像信号ａに対して重要度インデックスｃｌａｓｓ１が対応付けられている。以下同様に、映像信号ｂ，ｃ，ｄ，ｅ，…に対して重要度インデックスｃｌａｓｓ２，ｃｌａｓｓ３，ｃｌａｓｓ４，ｃｌａｓｓ５，…が対応付けられている。なお、重要度インデックスｃｌａｓｓ１の優先順位が最も高く、これ以降、ｃｌａｓｓ２，ｃｌａｓｓ３，…の順に、優先順位が１段階ずつ低くなるものとする。
【００２５】
図３に戻る。このように、テーブルα記憶部２３は、各映像信号と重要度インデックスとの対応関係を示すテーブルαを記憶するが、このテーブルαは、ユーザの操作に基づくテーブルα更新部３３の動作によって更新される。
【００２６】
対応付け判定部２４は、映像信号入力部２１からの各映像信号を、重要度インデックス対応付け部２２からの情報、およびテーブルβ，γ記憶部２５に記憶されているテーブルβ，γを参照して、ディスプレイ２に設けられる各領域に対応付けて、表示対応部２６に出力する。
【００２７】
テーブルβ，γ記憶部２５は、各映像信号に対応付けられる重要度インデックスと、ディスプレイ２の各領域に対応付けられるディスプレイ注視度インデックスとの対応関係を示すテーブルβを記憶する。
【００２８】
図５は、テーブルβの一例を示している。このテーブルβにおいては、重要度インデックスｃｌａｓｓ１に対してディスプレイ注視度インデックスｄｉｓ１が対応付けられている。以下同様に、重要度インデックスｃｌａｓｓ２，ｃｌａｓｓ３，ｃｌａｓｓ４，ｃｌａｓｓ５，…に対して、ディスプレイ注視度インデックスｄｉｓ２，ｄｉｓ３，ｄｉｓ４，ｄｉｓ５，…が対応付けられている。なお、ディスプレイ注視度インデックスｄｉｓ１のユーザの注目の度合いが最も高く（すなわち、ユーザにとっての優先順位が最も高く）、これ以降、ｄｉｓ２，ｄｉｓ３，…の順に、ユーザの注目の度合いが１段階ずつ低くなるものとする。
【００２９】
また、テーブルβ，γ記憶部２５は、ディスプレイ２の各領域と、複数の領域における注視の順位を示すディスプレイ注視度インデックスとの対応関係を示すテーブルγを記憶する。なお、テーブルγは、ユーザの操作に基づくテーブルγ更新部３１の動作によって更新される。
【００３０】
図６は、初期設定状態のテーブルγの一例を示している。このテーブルγにおいては、ディスプレイ２の領域Ａに対してディスプレイ注視度インデックスｄｉｓ１が対応付けられている。以下同様に、ディスプレイ２の領域Ｂ，Ｃ，Ｄ，Ｅ，…に対して、ディスプレイ注視度インデックスｄｉｓ２，ｄｉｓ３，ｄｉｓ４，ｄｉｓ５，…が対応付けられている。
【００３１】
図３に戻る。表示対応部２６は、対応付け判定部２４から供給される各映像信号に対応する映像が、ディスプレイ２の対応付けられた各領域に表示されるような合成映像信号を生成して、ディスプレイ２に出力する。また、表示対応部２６は、ディスプレイ領域特定部２９からの操作情報に従い、ユーザによって選択された映像信号に対応する映像が、ユーザによって選択された領域に配置され、ユーザによって選択された領域にそれまで配置されていた映像が、ユーザによって選択された映像信号に対応する映像がそれまで表示されていた領域に配置される（領域を交互に置換した）合成映像信号を生成してディスプレイ２に出力する。
【００３２】
操作入力部２７は、例えば、ディスプレイ２の画面上に設けられていて、画面を透過する透明なタッチパネルセンサの他、キーボード、マウス等の入力デバイスからなり、ディスプレイ２の画面上の位置を指定するユーザの表示領域置換操作を検知し、その座標情報を操作情報保持部２８に出力する。
【００３３】
ここで、ユーザの表示領域置換操作について説明する。ユーザの表示領域置換操作は、画面上に表示されている複数の映像信号（映像）のうちの１つを選択する第１の操作と、選択した映像信号（映像）の移動先の領域を選択する第２の操作からなる。例えば、図１に示したディスプレイ２の領域Ａ乃至Ｉに、それぞれ映像信号ａ乃至ｉの映像が表示されている状態において、第１の操作によって映像信号ａの映像が表示されている領域Ａが選択され、第２の操作によって映像信号ｅの映像が表示されている領域Ｅが選択された場合、映像信号ａの映像が領域Ｅに表示され、領域Ａには映像信号ｅの映像が表示される。
【００３４】
図３に戻る。操作情報保持部２８は、操作入力部２７からの座標情報を保持するとともに、ディスプレイ領域特定部２９に出力する。ディスプレイ領域特定部２９は、ユーザの表示領域置換操作に対応する座標情報が、ディスプレイ２の画面上のどの領域に対応するかを特定して、その操作情報を表示対応部２６、ディスプレイ領域選択頻度計数部３０、および映像信号選択頻度計数部３２に出力する。
【００３５】
ディスプレイ領域選択頻度計数部３０は、ディスプレイ領域特定部２９からの座標情報のうち、領域を選択する第２の操作に対応するものに基づいて、各領域が選択された回数をカウントして、その各領域に対するカウント値をテーブルγ更新部３１に出力する。
【００３６】
テーブルγ更新部３１は、ディスプレイ領域選択頻度計数部３０からの情報に基づき、テーブルβ，γ記憶部２５に記憶されているテーブルγを更新する。例えば、テーブルγが初期設定である状態において、領域Ｅに対するカウント値が所定の閾値を超えた場合、領域Ｅに対応するディスプレイ注視度インデックスを最も高いｄｉｓ１に更新し、いままで、領域Ｅよりもディスプレイ注視度インデックスが高位であった領域Ａ，Ｂ，Ｃ，Ｄに対応するディスプレイ注視度インデックスをそれぞれ１段階ずつ低くｄｉｓ２，ｄｉｓ３，ｄｉｓ４，ｄｉｓ５に更新する。
【００３７】
映像信号選択頻度計数部３２は、ディスプレイ領域特定部２９からの座標情報のうち、映像信号を選択する第１の操作に対応するものに基づいて、各映像信号が選択された数をカウントして、その各映像信号の映像に対するカウント値をテーブルα更新部３３に出力する。
【００３８】
テーブルα更新部３３は、映像信号選択頻度計数部３２からの情報に基づき、テーブルα記憶部２３に記憶されているテーブルαを更新する。例えば、テーブルαが初期設定である状態において、映像信号ｃの映像に対するカウント値が所定の閾値を超えた場合、映像信号ｃの映像に対応する重要度インデックスを最も高いｃｌａｓｓ１に更新し、いままで映像信号ｃの映像よりも重要度インデックスが高位であった映像信号ａ，ｂの映像に対応する重要度インデックスを、それぞれ１段階ずつ低くｃｌａｓｓ２，ｃｌａｓｓ３に更新する。
【００３９】
次に、映像信号出力装置１の動作について、図７および図８のフローチャートを参照して説明する。
【００４０】
ステップＳ１において、映像信号入力部２１は、異なる複数の映像信号（例えば、映像信号ａ乃至ｉ）を映像信号出力装置１に取り込み、重要度インデックス対応付け部２２、および対応付け判定部２４に出力する。
【００４１】
ステップＳ２において、重要度インデックス対応付け部２２は、テーブルα記憶部２３に記憶されているテーブルα（図４）が、初期設定の状態から更新されているか否かを判定する。テーブルαが更新されていないと判定された場合、処理はステップＳ３に進む。
【００４２】
ステップＳ３において、重要度インデックス対応付け部２２は、テーブルα記憶部２３から初期設定のテーブルαを取得する。次に、ステップＳ５において、重要度インデックス対応付け部２２は、取得したテーブルαを参照して、映像信号入力部２１からの映像信号ａ乃至ｉに、優先順位を示す重要度インデックスを対応付け、その情報を対応付け判定部２４に出力する。すなわち、この処理のよって、各映像信号に対して優先順位が付与されることになる。
【００４３】
いまの場合、テーブルαは初期設定の状態であるので、映像信号ａ乃至ｉには、それぞれ重要度インデックスｃｌａｓｓ１乃至９が対応付けられる。
【００４４】
ステップＳ６において、対応付け判定部２４は、テーブルβ，γ記憶部２５に記憶されているテーブルβ（図５）を取得して、映像信号ａ乃至ｉに、ディスプレイ注視度インデックスを対応付ける。この処理は、直接的には、映像信号の重要度（優先順位）を表す重要度インデックスと、表示領域の重要度（注視度）を表すディスプレイ注視度インデックスを対応付ける処理であるが、上述したように、重要度インデックスは、テーブルαにより、映像信号と対応付けられているので、結局、映像信号をディスプレイ注視度に対応付ける処理ということになる。
【００４５】
テーブルβによれば、重要度インデックスｃｌａｓｓ１乃至９は、それぞれディスプレイ注視度インデックスｄｉｓ１乃至ｄｉｓ９に対応付けられている。したがって、いまの場合、映像信号ａ乃至ｉには、それぞれディスプレイ注視度インデックスｄｉｓ１乃至ｄｉｓ９が対応付けられる。
【００４６】
ステップＳ７において、対応付け判定部２４は、テーブルβ，γ記憶部２５に記憶されているテーブルγ（図６）が、初期設定の状態から更新されているか否かを判定する。更新されていないと判定された場合、処理はステップＳ８に進む。
【００４７】
ステップＳ８において、対応付け判定部２４は、テーブルβ，γ記憶部２５から初期設定のテーブルγを取得する。次に、ステップＳ１０において、対応付け判定部２４は、取得したテーブルγを参照して、映像信号入力部２１からの映像信号ａ乃至ｉを、ディスプレイ２に設けられる領域Ａ乃至Ｉに対応付けて、表示対応部２６に出力する。なお、この処理は、直接的には、表示領域に需要度（注視度）を表すディスプレイ注視度インデックスを、ディスプレイの表示領域に対応付ける（優先順位を設定する）処理であるが、上述したように、ディスプレイ注視度インデックスは、テーブルβにより重要度インデックスに対応付けられており、その重要度インデックスは、テーブルαにより、さらに映像信号に対応付けられているので、結局、映像信号を、表示領域に対応付ける処理となる。
【００４８】
いまの場合、テーブルγは初期設定の状態であるので、領域Ａ乃至Ｉには、それぞれディスプレイ注視度インデックスｄｉｓ１乃至ｄｉｓ９が対応付けられている。したがって、映像信号ａ乃至ｉには、それぞれ領域Ａ乃至Ｉが対応付けられる。
【００４９】
ステップＳ１１において、表示対応部２６は、対応付け判定部２４からの情報に基づき、映像信号ａ乃至ｉに対応する映像が、対応付けられた領域Ａ乃至Ｉに表示されるような合成映像信号を生成して、ディスプレイ２に出力する。いまの場合、図９に示されるように、映像信号ａ乃至ｉに対応する映像が、それぞれ領域Ａ乃至Ｉに配置された合成映像信号が生成され、合成映像信号がディスプレイ２に出力され、対応する映像が表示される。
【００５０】
ステップＳ１２（図８）において、操作入力２７は、映像信号の映像を選択する第１の操作が入力されたか否かを判定し、第１の操作が入力されたと判定するまで待機する。第１の操作が入力されたと判定された場合、処理はステップＳ１３に進む。
【００５１】
ステップＳ１３において、操作入力部２７は、第１の操作に対応する座標情報を、操作情報保持部２８を介してディスプレイ領域特定部２９に出力する。ディスプレイ領域特定部２９は、ユーザの第１の操作に対応する座標情報が、ディスプレイ２の画面上のどの領域に対応するかを特定して、その操作情報を、表示対応部２６、および映像信号選択頻度計数部３２に出力する。映像信号選択頻度計数部３２は、第１の操作に対応する操作情報に基づいて、各映像信号の映像が選択された数をカウントして、その各映像信号の映像に対するカウント値をテーブルα更新部３３に出力する。
【００５２】
ステップＳ１４において、表示対応部２６は、第１の操作によって選択された映像がユーザにとって認識し易いように、例えば、点滅表示したり、他の映像に比較して輝度を変化させたり、選択された映像の周囲に枠を表示させたりする。
【００５３】
ステップＳ１５において、操作入力２７は、領域を選択する第２の操作が入力されたか否かを判定し、第２の操作が入力されたと判定するまで待機する。第２の操作が入力されたと判定された場合、処理はステップＳ１６に進む。
【００５４】
ステップＳ１６において、操作入力部２７は、第２の操作に対応する座標情報を、操作情報保持部２８を介してディスプレイ領域特定部２９に出力する。ディスプレイ領域特定部２９は、ユーザの第２の操作に対応する座標情報が、ディスプレイ２の画面上のどの領域に対応するかを特定して、その操作情報を、表示対応部２６、およびディスプレイ領域選択頻度計数部３０に出力する。ディスプレイ領域選択頻度計数部３０は、第２の操作に対応する操作情報に基づいて、各領域が選択された数をカウントして、その各領域に対するカウント値をテーブルα更新部３３に出力する。
【００５５】
ステップＳ１７において、表示対応部２６は、ディスプレイ領域特定部２９からの第１および第２の操作に対応する座標情報に従い、画面上の２つの領域の映像を置換するように（第１の操作に対応する映像信号の映像を、第２の操作に対応する領域に表示させ、第２の操作に対応する映像信号の映像を、第１の操作に対応する領域に表示させるように）、合成映像信号を生成して、ディスプレイ２に出力する。
【００５６】
ステップＳ１８において、テーブルα更新部３２は、映像信号選択頻度計数部３２からの情報に基づき、テーブルα記憶部２３に記憶されているテーブルαを更新するか否かを判定する。具体的には、映像信号ａ乃至ｉの映像にそれぞれ対応するカウント値のうち、所定の基準値（例えば、３０回）を越えたものが出現した場合、テーブルαを更新すると判定する。
【００５７】
テーブルαを更新すると判定された場合、処理は、ステップＳ１９に進む。ステップＳ１９において、テーブルα更新部３２は、テーブルαを更新する。なお、ステップＳ１８において、テーブルαを更新しないと判定された場合、ステップＳ１９の処理はスキップされる。
【００５８】
ステップＳ２０において、テーブルγ更新部３１は、ディスプレイ領域選択頻度計数部３０からの情報に基づき、テーブルβ，γ記憶部２５に記憶されているテーブルγを更新するか否かを判定する。具体的には、領域Ａ乃至Ｉにそれぞれ対応するカウント値のうち、所定の基準値（例えば、３０回）を越えたものが出現した場合、テーブルγを更新すると判定する。
【００５９】
テーブルγを更新すると判定された場合、処理は、ステップＳ２１に進む。ステップＳ２１において、テーブルγ更新部３１は、テーブルγを更新する。なお、ステップＳ２０において、テーブルγを更新しないと判定された場合、ステップＳ２１の処理はスキップされる。この後、処理はステップＳ２に戻り、それ以降の処理が繰り返される。
【００６０】
ステップＳ１９またはステップＳ２１の処理を経たステップＳ２の処理においては、テーブルαが初期設定の状態から更新されていると判定され、処理はステップＳ４に進む。ステップＳ４において、重要度インデックス対応付け部２２は、テーブルα記憶部２３から更新されたテーブルαを取得する。
【００６１】
なお、ステップＳ２，Ｓ３，Ｓ４の処理は、結局、その時点のテーブルαを取得する処理であるから、これらの処理は、単に「テーブルαを取得する」という１つの処理に置き換えてもよい。
【００６２】
例えば、更新されたテーブルαが図１０に示される状態である場合、次のステップＳ５において、映像信号ａ，ｂ，ｃ，ｄ，ｅ，ｆ，ｇ，ｈ，ｉは、それぞれ重要度インデックスｃｌａｓｓ５，ｃｌａｓｓ６，ｃｌａｓｓ２，ｃｌａｓｓ１，ｃｌａｓｓ８，ｃｌａｓｓ４，ｃｌａｓｓ９，ｃｌａｓｓ７，ｃｌａｓｓ３に対応付けられ、さらに、ステップＳ６において、映像信号ａ，ｂ，ｃ，ｄ，ｅ，ｆ，ｇ，ｈ，ｉは、それぞれディスプレイ注視度インデックスｄｉｓ５，ｄｉｓ６，ｄｉｓ２，ｄｉｓ１，ｄｉｓ８，ｄｉｓ４，ｄｉｓ９，ｄｉｓ７，ｄｉｓ３に対応付けられる。
【００６３】
ステップＳ７において、テーブルγが初期設定の状態から更新されていると判定された場合、処理はステップＳ９に進む。ステップＳ９において、対応付け判定部２４は、テーブルβ，γ記憶部２５から更新されたテーブルγを取得する。
【００６４】
なお、ステップＳ７，Ｓ８，Ｓ９の処理も、結局、その時点のテーブルγを取得する処理であるから、これらの処理は、単に「テーブルγを取得する」という１つの処理に置き換えることもできる。
【００６５】
例えば、更新されたテーブルγが図１１に示される状態である場合、次のステップＳ１０において、映像信号ａ，ｂ，ｃ，ｄ，ｅ，ｆ，ｇ，ｈ，ｉは、それぞれ領域Ｆ，Ｉ，Ａ，Ｅ，Ｇ，Ｃ，Ｄ，Ｈ，Ｂに対応付けられる。従って、次のステップＳ１１において、ディスプレイ２の画面には、図１２に示されるような合成映像信号が表示される。以上で、映像信号出力装置１の動作の説明を終了する。
【００６６】
なお、上述した説明において、テーブルα，γはそれぞれテーブルα更新部３３またはテーブルγ更新部３１の判断によって更新されるが、ユーザが更新のタイミングを任意に設定できるようにしてもよい。
【００６７】
また、上述した説明において、テーブルβは更新されることなく固定であるが、ユーザが任意に更新できるようにしてもよい。
【００６８】
さらに、上述した説明においては、９種類の映像信号を入力し、画面上に９つの領域を設けるようにしたが、これらの数は任意であって、それ以下でも、それ以上の数であってもよい。
【００６９】
以上においては、テーブルα、テーブルβ、およびテーブルγを用いて、映像信号と表示領域を対応付けるようにしたが、映像信号（テーブルαの映像信号ａ，ｂ，ｃ，ｄ，ｅ，ｆ，ｇ，ｈ，ｉ）と、表示領域（テーブルγのディスプレイ領域Ａ，Ｂ，Ｃ，Ｄ，Ｅ，Ｆ，Ｇ，Ｈ，Ｉ）を、１個のテーブルで直接対応付けるようにし、映像信号を、その優先順位に基づいてソートして、上から順番にテーブル上に配列し、同様に、表示領域を、その優先順位に基づいてソートして、上から順番にテーブル上に配列し、映像信号と表示領域は、常に同一の順番のものが対応するものとするようにしても、同様の動作を実現することができる。
【００７０】
このようにすることで、テーブルを１個にすることができる。ただし、テーブルα、テーブルβ、およびテーブルγの３つのテーブルを用いる場合、テーブルβを書き換えることで、映像信号の優先順位と表示領域の優先順位を、任意の関係に対応付けることが可能であるが、テーブルを１個とした場合、映像信号の優先順位と表示領域の優先順位を、任意の関係に対応付けることができなくなる。
【００７１】
以上のように、本発明を適用した映像信号出力装置によれば、同時に複数の映像信号を表示することができ、かつ、ユーザの２回の操作に対応して、映像信号の表示領域を置換することができる。
【００７２】
さらに、本発明を適用した映像信号出力装置は、ユーザの操作に基づいてテーブルα，γを自動的に更新するので、ユーザが使えば使うほど、ユーザの好みに適した表示を行うようになる。
【００７３】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１３に示すような汎用のパーソナルコンピュータなどに、記録媒体からインストールされる。
【００７４】
このパーソナルコンピュータは、ＣＰＵ（Ｃｅｎｔｒａｌ　Ｐｒｏｃｅｓｓｉｎｇ　Ｕｎｉｔ）５１を内蔵している。ＣＰＵ５１にはバス５４を介して、入出力インタフェース５５が接続されている。バス５４には、ＲＯＭ（Ｒｅａｄ　Ｏｎｌｙ　Ｍｅｍｏｒｙ）５２およびＲＡＭ（Ｒａｎｄｏｍ　Ａｃｃｅｓｓ　Ｍｅｍｏｒｙ）５３が接続されている。
【００７５】
入出力インタフェース５５には、ユーザが各種の操作コマンドを入力する入力部５６、ディスプレイ２に合成映像信号を出力する表示制御部５７、プログラムや各種データを格納するハードディスクドライブなどよりなる記憶部５８、およびインタネットなどを介する通信を制御する通信部５９が接続されている。また、磁気ディスク６１、光ディスク６２、光磁気ディスク６３、および半導体メモリ６４などの記録媒体に対してデータを読み書きするドライブ６０が接続されている。
【００７６】
上述した一連の処理をＣＰＵ５１に実行させるプログラムは、磁気ディスク６１（フレキシブルディスクを含む）、光ディスク６２（ＣＤ−ＲＯＭ（Ｃｏｍｐａｃｔ　Ｄｉｓｃ−ＲｅａｄＯｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク６３（ＭＤ（Ｍｉｎｉ　Ｄｉｓｃ）を含む）、もしくは半導体メモリ６４に格納された状態でパーソナルコンピュータに供給され、ドライブ６０によって読み出されて記憶部５８に内蔵されるハードディスクドライブにインストールされている。記憶部５８にインストールされているプログラムは、入力部５６に入力されるユーザからのコマンドに対応するＣＰＵ５１の指令によって、記憶部５８からＲＡＭ５３にロードされて実行される。
【００７７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７８】
【発明の効果】
以上のように、本発明によれば、複数の映像信号の映像を任意の領域に表示させることができる。特に、優先順位に対応する領域に表示させることが可能となる。
【００７９】
また、本発明によれば、同時に表示させた複数の映像信号の映像の表示位置を、ユーザの操作に対応して速やかに置換することが可能となる。
【００８０】
さらに、本発明によれば、複数の映像信号と表示領域との対応関係を決定するテーブルを、ユーザの操作の蓄積に従って更新することが可能となる。
【図面の簡単な説明】
【図１】本発明の一実施の形態である映像信号出力装置が一台のディスプレイに同時に複数の映像を表示させる例を示す図である。
【図２】本発明の一実施の形態である映像信号出力装置が複数のディスプレイに同時に異なる映像を表示させる例を示す図である。
【図３】図１の映像信号出力装置の構成例を示すブロック図である。
【図４】初期設定のテーブルαの一例を示す図である。
【図５】テーブルβの一例を示す図である。
【図６】初期設定のテーブルγの一例を示す図である。
【図７】図１の映像信号出力装置の動作を説明するフローチャートである。
【図８】図１の映像信号出力装置の動作を説明するフローチャートである。
【図９】ディスプレイの表示の一例を示す図である。
【図１０】更新されたテーブルαの一例を示す図である。
【図１１】更新されたテーブルγの一例を示す図である。
【図１２】ディスプレイの表示の一例を示す図である。
【図１３】パーソナルコンピュータの構成例を示すブロック図である。
【符号の説明】
１　映像信号出力装置，　２　ディスプレイ，　２１　映像信号入力部，　２２　重要度インデックス対応付け部，　２３　テーブルα記憶部，　２４　対応付け判定部，　２５　テーブルβ，γ記憶部，　２６　表示対応部，　２７　操作入力部，　２８　操作情報保持部，　２９　ディスプレイ領域特定部，　３０ディスプレイ領域選択頻度計数部，　３１　テーブルγ更新部，　３２　映像信号選択頻度計数部，　３３　テーブルα更新部，　５１　ＣＰＵ，　６１　磁気ディスク，　６２　光ディスク，　６３　光磁気ディスク，　６４　半導体メモリ
【図１】
2004069893.tif 000003
【図２】
2004069893.tif 000004
【図３】
2004069893.tif 000005
【図４】
2004069893.tif 000006
【図５】
2004069893.tif 000007
【図６】
2004069893.tif 000008
【図７】
2004069893.tif 000009
【図８】
2004069893.tif 000010
【図９】
2004069893.tif 000011
【図１０】
2004069893.tif 000012
【図１１】
2004069893.tif 000013
【図１２】
2004069893.tif 000014
【図１３】
2004069893.tif 000015